(57)【特許請求の範囲】
【請求項１】
運転座席が装備された運転部を備えた自走車と、前記自走車の後部に連結された苗植付け装置とを備えた乗用型田植機であって、
複数枚の予備マット状苗を車体前後方向に並べて載置収容する予備苗載せ台と、前記予備苗載せ台を前記自走車の横一側部に位置させて支持し、かつ前記予備苗載せ台を使用状態と格納状態とに切り換え自在に支持する支持体とを備え、
前記予備苗載せ台の前記使用状態は、予備苗載せ台の複数の分割予備苗載せ台が車体横向き姿勢で車体前後方向に並んで連なった状態であり、
前記予備苗載せ台の前記格納状態は、前記複数の分割予備苗載せ台が苗載置面に直交する方向に重なって並び、かつ各分割予備苗載せ台が車体上下向き姿勢になって車体横向き姿勢の場合よりも車体内側に位置し、さらに各分割予備苗載せ台が自走車の前端箇所以後に位置した状態であり、
前記各分割予備苗載せ台は、分割予備苗載せ台の車体横向き姿勢において分割予備苗載せ台の下方に位置する車体前後向きの揺動軸芯まわりに上昇揺動して車体上下向き姿勢に切り換わるように構成し、
前記予備苗載せ台が前記格納状態になるよう車体上下向き姿勢に切り換わった前記各分割予備苗載せ台の下端側が前記揺動軸芯より車体内側に位置するように、前記予備苗載せ台が支持され、
前記予備苗載せ台を、前記複数の分割予備苗載せ台が車体前後方向に並んだ伸展状態と前記複数の分割予備苗載せ台が苗載置面に直交する方向に重なり合った短縮状態とに切換え自在に構成し、
前記予備苗載せ台の外れ止めを行なうように前記予備苗載せ台の横側壁部の上面に当接する外れ止め部を前記支持体に設け、
前記伸展状態における前記予備苗載せ台の前端側部分を構成する前記分割予備苗載せ台が前記外れ止め部に対して車体前方側に外れたスライド位置と、前記伸展状態における前記予備苗載せ台の前記複数の分割予備苗載せ台が前記外れ止め部の下側に入り込んだスライド位置とに、前記伸展状態での予備苗載せ台を前記支持体に車体前後方向に摺動操作自在に支持させてある乗用型田植機。
【請求項２】
運転座席が装備された運転部を備えた自走車と、前記自走車の後部に連結された苗植付け装置とを備えた乗用型田植機であって、
複数枚の予備マット状苗を車体前後方向に並べて載置収容する予備苗載せ台と、前記予備苗載せ台を前記自走車の横一側部に位置させて支持し、かつ前記予備苗載せ台を使用状態と格納状態とに切り換え自在に支持する支持体とを備え、
前記予備苗載せ台の前記使用状態は、予備苗載せ台の複数の分割予備苗載せ台が車体横向き姿勢で車体前後方向に並んで連なった状態であり、
前記予備苗載せ台の前記格納状態は、前記複数の分割予備苗載せ台が苗載置面に直交する方向に重なって並び、かつ各分割予備苗載せ台が車体上下向き姿勢になって車体横向き姿勢の場合よりも車体内側に位置し、さらに各分割予備苗載せ台が前記運転座席の前端よりも車体前方側に位置した状態であり、
前記各分割予備苗載せ台は、分割予備苗載せ台の車体横向き姿勢において分割予備苗載せ台の下方に位置する車体前後向きの揺動軸芯まわりに上昇揺動して車体上下向き姿勢に切り換わるように構成し、
前記予備苗載せ台が前記格納状態になるよう車体上下向き姿勢に切り換わった前記各分割予備苗載せ台の下端側が前記揺動軸芯より車体内側に位置するように、前記予備苗載せ台が支持され、
前記予備苗載せ台を、前記複数の分割予備苗載せ台が車体前後方向に並んだ伸展状態と前記複数の分割予備苗載せ台が苗載置面に直交する方向に重なり合った短縮状態とに切換え自在に構成し、
前記予備苗載せ台の外れ止めを行なうように前記予備苗載せ台の横側壁部の上面に当接する外れ止め部を前記支持体に設け、
前記伸展状態における前記予備苗載せ台の前端側部分を構成する前記分割予備苗載せ台が前記外れ止め部に対して車体前方側に外れたスライド位置と、前記伸展状態における前記予備苗載せ台の前記複数の分割予備苗載せ台が前記外れ止め部の下側に入り込んだスライド位置とに、前記伸展状態での予備苗載せ台を前記支持体に車体前後方向に摺動操作自在に支持させてある乗用型田植機。
【請求項３】
運転座席が装備された運転部を備えた自走車と、前記自走車の後部に連結された苗植付け装置とを備えた乗用型田植機であって、
複数枚の予備マット状苗を車体前後方向に並べて載置収容する予備苗載せ台と、前記予備苗載せ台を前記自走車の横一側部に位置させて支持し、かつ前記予備苗載せ台を使用状態と格納状態とに切り換え自在に支持する支持体とを備え、
前記予備苗載せ台の前記使用状態は、予備苗載せ台の複数の分割予備苗載せ台が車体横向き姿勢で車体前後方向に並んで連なった状態であり、
前記予備苗載せ台の前記格納状態は、前記複数の分割予備苗載せ台が苗載置面に直交する方向に重なって並び、かつ各分割予備苗載せ台が車体上下向き姿勢になって車体横向き姿勢の場合よりも車体内側に位置し、さらに各分割予備苗載せ台が自走車の前端箇所以後に位置し、さらに各分割予備苗載せ台が前記運転座席の前端よりも車体前方側に位置した状態であり、
前記各分割予備苗載せ台は、分割予備苗載せ台の車体横向き姿勢において分割予備苗載せ台の下方に位置する車体前後向きの揺動軸芯まわりに上昇揺動して車体上下向き姿勢に切り換わるように構成し、
前記予備苗載せ台が前記格納状態になるよう車体上下向き姿勢に切り換わった前記各分割予備苗載せ台の下端側が前記揺動軸芯より車体内側に位置するように、前記予備苗載せ台が支持され、
前記予備苗載せ台を、前記複数の分割予備苗載せ台が車体前後方向に並んだ伸展状態と前記複数の分割予備苗載せ台が苗載置面に直交する方向に重なり合った短縮状態とに切換え自在に構成し、
前記予備苗載せ台の外れ止めを行なうように前記予備苗載せ台の横側壁部の上面に当接する外れ止め部を前記支持体に設け、
前記伸展状態における前記予備苗載せ台の前端側部分を構成する前記分割予備苗載せ台が前記外れ止め部に対して車体前方側に外れたスライド位置と、前記伸展状態における前記予備苗載せ台の前記複数の分割予備苗載せ台が前記外れ止め部の下側に入り込んだスライド位置とに、前記伸展状態での予備苗載せ台を前記支持体に車体前後方向に摺動操作自在に支持させてある乗用型田植機。
【請求項４】
前記各分割予備苗載せ台は、分割予備苗載せ台の車体横向き姿勢において分割予備苗載せ台の下方に、分割予備苗載せ台の車体内側端から車体横外側に離れて位置する車体前後向きの揺動軸芯まわりに上昇揺動して車体上下向き姿勢に切り換わるように構成してある請求項１〜３のいずれか一項に記載の乗用型田植機。
【請求項５】
前記予備苗載せ台の使用状態において予備苗載せ台の車体横外側に位置する端部に苗すくい板ホルダーを設けてある請求項１〜４のいずれか一項に記載の乗用型田植機。
【発明の詳細な説明】
【技術分野】
【０００１】
本発明は、運転座席が装備された運転部を備えた自走車と、前記自走車の後部に連結された苗植付け装置とを備えた乗用型田植機。
【背景技術】
【０００２】
上記した乗用型田植機として、従来、例えば特許文献１に記載されたものがあった。
【０００３】
特許文献１に記載された乗用型田植機では、乗用走行機体の前部における左右両側に予備苗のせ台を設けている。
【０００４】
各予備苗載せ台は、３枚の苗受け板が上下三段に並んだ形態と、３枚の苗受け板が前後直列に並んだ形態とに切り換え自在になっている。
【特許文献１】特開２００７−１３５５０６号公報
【発明の開示】
【発明が解決しようとする課題】
【０００５】
車体横側方に複数枚の予備マット状苗を車体前後方向に並べて収容できるようにするのに上記した従来の技術を採用すると、予備苗載せ台の不使用時に問題が発生しがちであった。
【０００６】
つまり、上記した従来の技術を採用すると、予備苗載せ台を折り畳み格納した場合、予備苗載せ台の車体横外側への突出が予備苗載せ台を使用する場合の突出と差略変化せず、操縦が行いにくくなりがちであった。また、格納に必要なスペースが大になっていた。
【０００７】
本発明の目的は、複数枚の予備マット状苗を車体前後方向に並べて収容できるものでありながら、予備苗載せ台を使用しない場合の操縦や格納、乗り降りが行いやすい乗用型田植機を提供することにある。
【課題を解決するための手段】
【０００８】
本第１発明は、運転座席が装備された運転部を備えた自走車と、前記自走車の後部に連結された苗植付け装置とを備えた乗用型田植機において、
複数枚の予備マット状苗を車体前後方向に並べて載置収容する予備苗載せ台と、前記予備苗載せ台を前記自走車の横一側部に位置させて支持し、かつ前記予備苗載せ台を使用状態と格納状態とに切り換え自在に支持する支持体とを備え、
前記予備苗載せ台の前記使用状態は、予備苗載せ台の複数の分割予備苗載せ台が車体横向き姿勢で車体前後方向に並んで連なった状態であり、
前記予備苗載せ台の前記格納状態は、前記複数の分割予備苗載せ台が苗載置面に直交する方向に重なって並び、かつ各分割予備苗載せ台が車体上下向き姿勢になって車体横向き姿勢の場合よりも車体内側に位置し、さらに各分割予備苗載せ台が自走車の前端箇所以後に位置した状態であり、
前記各分割予備苗載せ台は、分割予備苗載せ台の車体横向き姿勢において分割予備苗載せ台の下方に位置する車体前後向きの揺動軸芯まわりに上昇揺動して車体上下向き姿勢に切り換わるように構成し、
前記予備苗載せ台が前記格納状態になるよう車体上下向き姿勢に切り換わった前記各分割予備苗載せ台の下端側が前記揺動軸芯より車体内側に位置するように、前記予備苗載せ台が支持され、
前記予備苗載せ台を、前記複数の分割予備苗載せ台が車体前後方向に並んだ伸展状態と前記複数の分割予備苗載せ台が苗載置面に直交する方向に重なり合った短縮状態とに切換え自在に構成し、
前記予備苗載せ台の外れ止めを行なうように前記予備苗載せ台の横側壁部の上面に当接する外れ止め部を前記支持体に設け、
前記伸展状態における前記予備苗載せ台の前端側部分を構成する前記分割予備苗載せ台が前記外れ止め部に対して車体前方側に外れたスライド位置と、前記伸展状態における前記予備苗載せ台の前記複数の分割予備苗載せ台が前記外れ止め部の下側に入り込んだスライド位置とに、前記伸展状態での予備苗載せ台を前記支持体に車体前後方向に摺動操作自在に支持させている。
【０００９】
本第１発明の構成によると、予備苗載せ台を使用状態にすれば、分割予備苗載せ台が車体横向き姿勢で車体前後方向に並び、複数枚の予備マット状苗を予備苗載せ台に車体前後方向に並べて載置することができる。予備苗載せ台を格納状態にすれば、複数の分割予備苗載せ台が重なって並び、かつ各分割予備苗載せ台が車体上下向き姿勢になって使用時よりも車体内側に位置し、さらに、各分割予備苗載せ台が自走車の前端箇所以後に位置し、自走車を予備苗載せ台の車体横外側や車体前方への突出が無いあるいは少ないコンパクトな状態にできる。
予備苗載せ台を格納状態にした場合の分割予備苗載せ台の上下向き姿勢を、分割予備苗載せ台の一部や全体が揺動軸芯よりも車体内側に入り込んだ車体上下向き姿勢にできる。
【００１０】
したがって、予備マット状苗の重量による車体重心のアップを抑制するよう予備マット状苗を車体前後方向に並べて収容できるものでありながら、予備苗載せ台を使用しない場合、予備苗載せ台を格納状態にすることにより、自走車をコンパクトな状態にして操縦や格納を楽にかつ有利に行うことができる。
予備苗載せ台を格納状態にすることにより、自走車を予備苗載せ台の車体横外側への突出がより少ないコンパクトな状態にして操縦や格納をより楽にかつ有利に行うことができる。
【００１１】
本第２発明は、運転座席が装備された運転部を備えた自走車と、前記自走車の後部に連結された苗植付け装置とを備えた乗用型田植機において、
複数枚の予備マット状苗を車体前後方向に並べて載置収容する予備苗載せ台と、前記予備苗載せ台を前記自走車の横一側部に位置させて支持し、かつ前記予備苗載せ台を使用状態と格納状態とに切り換え自在に支持する支持体とを備え、
前記予備苗載せ台の前記使用状態は、予備苗載せ台の複数の分割予備苗載せ台が車体横向き姿勢で車体前後方向に並んで連なった状態であり、
前記予備苗載せ台の前記格納状態は、前記複数の分割予備苗載せ台が苗載置面に直交する方向に重なって並び、かつ各分割予備苗載せ台が車体上下向き姿勢になって車体横向き姿勢の場合よりも車体内側に位置し、さらに各分割予備苗載せ台が前記運転座席の前端よりも車体前方側に位置した状態であり、
前記各分割予備苗載せ台は、分割予備苗載せ台の車体横向き姿勢において分割予備苗載せ台の下方に位置する車体前後向きの揺動軸芯まわりに上昇揺動して車体上下向き姿勢に切り換わるように構成し、
前記予備苗載せ台が前記格納状態になるよう車体上下向き姿勢に切り換わった前記各分割予備苗載せ台の下端側が前記揺動軸芯より車体内側に位置するように、前記予備苗載せ台が支持され、
前記予備苗載せ台を、前記複数の分割予備苗載せ台が車体前後方向に並んだ伸展状態と前記複数の分割予備苗載せ台が苗載置面に直交する方向に重なり合った短縮状態とに切換え自在に構成し、
前記予備苗載せ台の外れ止めを行なうように前記予備苗載せ台の横側壁部の上面に当接する外れ止め部を前記支持体に設け、
前記伸展状態における前記予備苗載せ台の前端側部分を構成する前記分割予備苗載せ台が前記外れ止め部に対して車体前方側に外れたスライド位置と、前記伸展状態における前記予備苗載せ台の前記複数の分割予備苗載せ台が前記外れ止め部の下側に入り込んだスライド位置とに、前記伸展状態での予備苗載せ台を前記支持体に車体前後方向に摺動操作自在に支持させている。
【００１２】
本第２発明の構成によると、予備苗載せ台を使用状態にすれば、分割予備苗載せ台が車体横向き姿勢で車体前後方向に並び、複数枚の予備マット状苗を予備苗載せ台に車体前後方向に並べて載置することができる。予備苗載せ台を格納状態にすれば、複数の分割予備苗載せ台が重なって並び、かつ各分割予備苗載せ台が車体上下向き姿勢になって使用時よりも車体内側に位置し、さらに、各分割予備苗載せ台が運転座席の前端よりも車体前方側に位置し、自走車を予備苗載せ台の車体横外側の突出が少ないコンパクトな状態に、かつ予備苗載せ台の後側に乗降用通路を確保した状態にできる。
予備苗載せ台を格納状態にした場合の分割予備苗載せ台の上下向き姿勢を、分割予備苗載せ台の一部や全体が揺動軸芯よりも車体内側に入り込んだ車体上下向き姿勢にできる。
【００１３】
したがって、予備マット状苗の重量による車体重心のアップを抑制するよう予備マット状苗を車体前後方向に並べて収容できるものでありながら、予備苗載せ台を使用しない場合、予備苗載せ台を格納状態にすることにより、自走車をコンパクトで、かつ乗降用通路を確保した状態にして操縦や乗り降りを楽に行うことができる。
予備苗載せ台を格納状態にすることにより、自走車を予備苗載せ台の車体横外側への突出がより少ないコンパクトな状態にして操縦や格納をより楽にかつ有利に行うことができる。
【００１４】
本第３発明は、運転座席が装備された運転部を備えた自走車と、前記自走車の後部に連結された苗植付け装置とを備えた乗用型田植機において、
複数枚の予備マット状苗を車体前後方向に並べて載置収容する予備苗載せ台と、前記予備苗載せ台を前記自走車の横一側部に位置させて支持し、かつ前記予備苗載せ台を使用状態と格納状態とに切り換え自在に支持する支持体とを備え、
前記予備苗載せ台の前記使用状態は、予備苗載せ台の複数の分割予備苗載せ台が車体横向き姿勢で車体前後方向に並んで連なった状態であり、
前記予備苗載せ台の前記格納状態は、前記複数の分割予備苗載せ台が苗載置面に直交する方向に重なって並び、かつ各分割予備苗載せ台が車体上下向き姿勢になって車体横向き姿勢の場合よりも車体内側に位置し、さらに各分割予備苗載せ台が自走車の前端箇所以後に位置し、さらに各分割予備苗載せ台が前記運転座席の前端よりも車体前方側に位置した状態であり、
前記各分割予備苗載せ台は、分割予備苗載せ台の車体横向き姿勢において分割予備苗載せ台の下方に位置する車体前後向きの揺動軸芯まわりに上昇揺動して車体上下向き姿勢に切り換わるように構成し、
前記予備苗載せ台が前記格納状態になるよう車体上下向き姿勢に切り換わった前記各分割予備苗載せ台の下端側が前記揺動軸芯より車体内側に位置するように、前記予備苗載せ台が支持され、
前記予備苗載せ台を、前記複数の分割予備苗載せ台が車体前後方向に並んだ伸展状態と前記複数の分割予備苗載せ台が苗載置面に直交する方向に重なり合った短縮状態とに切換え自在に構成し、
前記予備苗載せ台の外れ止めを行なうように前記予備苗載せ台の横側壁部の上面に当接する外れ止め部を前記支持体に設け、
前記伸展状態における前記予備苗載せ台の前端側部分を構成する前記分割予備苗載せ台が前記外れ止め部に対して車体前方側に外れたスライド位置と、前記伸展状態における前記予備苗載せ台の前記複数の分割予備苗載せ台が前記外れ止め部の下側に入り込んだスライド位置とに、前記伸展状態での予備苗載せ台を前記支持体に車体前後方向に摺動操作自在に支持させている。
【００１５】
本第３発明の構成によると、予備苗載せ台を使用状態にすれば、分割予備苗載せ台が車体横向き姿勢で車体前後方向に並び、複数枚の予備マット状苗を予備苗載せ台に車体前後方向に並べて載置することができる。予備苗載せ台を格納状態にすれば、複数の分割予備苗載せ台が重なって並び、かつ各分割予備苗載せ台が車体上下向き姿勢になって使用時よりも車体内側に位置し、さらに、各分割予備苗載せ台が自走車の前端箇所以後に位置するとともに運転座席の前端よりも車体前方側に位置し、自走車を予備苗載せ台の車体前方や車体横外側の突出が無いあるいは少ないコンパクトな状態に、かつ予備苗載せ台の後側に乗降用通路を確保した状態にできる。
予備苗載せ台を格納状態にした場合の分割予備苗載せ台の上下向き姿勢を、分割予備苗載せ台の一部や全体が揺動軸芯よりも車体内側に入り込んだ車体上下向き姿勢にできる。
【００１６】
したがって、予備マット状苗の重量による車体重心のアップを抑制するよう予備マット状苗を車体前後方向に並べて収容できるものでありながら、予備苗載せ台を使用しない場合、予備苗載せ台を格納状態にすることにより、自走車をコンパクで、かつ乗降用通路を確保した状態にして操縦や乗り降りを楽に行うことができる。
予備苗載せ台を格納状態にすることにより、自走車を予備苗載せ台の車体横外側への突出がより少ないコンパクトな状態にして操縦や格納をより楽にかつ有利に行うことができる。
【００１７】
【００１８】
【００１９】
【００２０】
本第４発明では、前記各分割予備苗載せ台は、分割予備苗載せ台の車体横向き姿勢において分割予備苗載せ台の下方に、分割予備苗載せ台の車体内側端から車体横外側に離れて位置する車体前後向きの揺動軸芯まわりに上昇揺動して車体上下向き姿勢に切り換わるように構成してある。
【００２１】
本第４発明の構成によると、分割予備苗載せ台が車体上下向き姿勢に切り換え操作される際、分割予備苗載せ台の車体内側部分が揺動軸芯よりも車体内側に向かって下降し、分割予備苗載せ台の車体外側部分が車体内側部分による引き上げ操作を受けて上昇揺動する。
【００２２】
したがって、予備苗載せ台の格納状態への切り換え操作を、分割予備苗載せ台の車体内側部分による引き上げ操作を受けて軽く行うことができる。
【００２３】
本第５発明では、前記予備苗載せ台の使用状態において予備苗載せ台の車体横外側に位置する端部に苗すくい板ホルダーを設けてある。
【００２４】
本第５発明の構成によると、苗すくい板ホルダーは、予備苗載せ台の運転部側とは反対側に位置する横端部に位置し、運転部から行われる予備苗載せ台の苗取扱いに対する障害にならない。
【００２５】
したがって、運転部において予備苗載せ台から苗植付け装置への苗補給を運転部から行うに当たり、苗すくい板ホルダーによる障害を受けないで楽にかつ能率よく行うことができる。
【発明を実施するための最良の形態】
【００２６】
以下、本発明の実施例を図面に基づいて説明する。
図１は、本発明の実施例に係る乗用型田植機の全体側面図である。図２は、本発明の実施例に係る乗用型田植機の全体平面図である。これらの図に示すように、本発明の実施例に係る乗用型田植機は、左右一対の操向操作および駆動自在な前車輪１，１と、左右一対の駆動自在な後車輪２，２と、車体後部に設けた運転座席３およびこの運転座席３の前方に設けたステアリングハンドル４が装備された運転部５と、車体前端部に設けたエンジン６が装備された原動部７とを有した自走車を備え、この自走車の車体フレーム８の後部にリンク機構９を介して連結された苗植付け装置１０を備えている。前記自走車は、前記運転座席４の後側に設けた肥料タンク２１が装備された施肥装置２０を備えている。
【００２７】
本実施例の乗用型田植機は、複数条の苗植え作業と施肥作業とを行う。
【００２８】
すなわち、前記自走車は、前記エンジン６の出力を前記前車輪１と前記後車輪２とに伝達する他、回転軸１１を介して苗植付け装置１０に伝達する。
【００２９】
前記リンク機構９は、油圧シリンダ９ａによって車体フレーム８に対して上下に揺動操作され、これによって苗植付け装置１０を、植え付け機体の下部に設けてある接地フロート１２が田面に接地した下降作業状態と、前記接地フロート１２が田面から高く上昇した上昇非作業状態とに昇降操作する。
【００３０】
苗植付け装置１０を下降作業状態にして自走車を走行させると、苗植付け装置１０は、植え付け機体の後端部に植え付け機体横方向に並べて設けてある苗植付け機構１３によって苗植え付けを行う。すなわち、植付け機体の前部に設けてある苗載せ台１４が、苗植付け機構１３の苗植え運動に連動させて植付け機体横方向に往復移送され、各苗植付け機構１３が、苗載せ台１４に載置されたマット状苗からブロック苗を切断して取り出し、取り出したブロック苗を下降搬送して前記接地フロート１２によって整地された田面に植付ける。
【００３１】
前記施肥装置２０は、前記肥料タンク２１の下部に設けた肥料繰り出し機構（図示せず）によって肥料タンク２１から粒状の肥料を繰り出し、この繰り出し肥料を、電動ブロワ２２によって供給される搬送風によって複数本の施肥ホース２３に分配供給する。各施肥ホース２３は、苗植え付け装置１０に植え付け機体横方向に並べて設けてある複数の施肥器２４に各別に連通している。各施肥器２４は、前記接地フロート１２に支持されており、対応する苗植付け機構１３による植え付け苗の横側で田面に溝を形成し、形成した溝に施肥ホース２３からの肥料を供給する。
【００３２】
図１，２，３に示すように、前記自走車は、車体前部の両横側方に設けた予備苗収容装置Ａを備えている。各予備苗収容装置Ａは、原動部７の横側方に位置している。
【００３３】
図４は、左側の予備苗収容装置Ａの側面図である。左側の予備苗収容装置Ａと右側の予備苗収容装置Ａとは、同じ構成を備えており、右側の予備苗収容装置Ａの詳細な図示を省略する。この図と図３とに示すように、前記左右の予備苗収容装置Ａは、前後一対の苗載せ台支柱３１，３１を有した支持体３０と、この支持体３０に支持された予備苗載せ台５０とを備えて構成してある。
【００３４】
前記予備苗載せ台５０は、前記支持体３０に車体前後向きの揺動軸芯Ｐ（図３参照）まわりに起伏揺動操作自在に支持され、かつ支持体３０が備える一対のガイドレール３８，３８（図１０参照）に沿わせて車体前後方向にスライド操作自在に支持されている。
【００３５】
つまり、図４，９，１０に示すように、前記支持体３０は、前記前後一対の苗載せ台支柱３１，３１を有した支柱枠体３２と、前記前後一対の苗載せ台支柱３１，３１の上端部に支持された揺動枠体３５とを備えて構成してある。前記支柱枠体３２は、前記前後一対の苗載せ台支柱３１，３１を備える他、この前後一対の苗載せ台支柱３１，３１の上端側を連結する車体前後向きの連結杆３３を備えている。前記前後一対の苗載せ台支柱３１，３１のうちの前側の苗載せ台支柱３１は、車体フレーム８を構成するエンジン搭載フレーム８ａに連結されている。前記前後一対の苗載せ台支柱３１，３１のうちの後側の苗載せ台支柱３１は、畦と運転部５との間を移動する通路を原動部７の横側に形成している乗降ステップＳ（図３参照）の裏面側に連結されている。
【００３６】
前記支持体３０は、前記支柱枠体３２と前記揺動枠体３５とが自走車の前端箇所Ａ（起立格納状態での畦超えアーム８７の前端箇所）よりも後方に位置するよう配置されており、支持体３０の車体前方への突出を無くしている。この支持体３０は、前記支柱枠体３２と前記揺動枠体３５とが運転座席３の前端３ａよりも前方に位置するよう配置されており、運転部５に対する乗り降りを支持体３０による障害が無い状態で行わせる。
【００３７】
図１０，１１，１２に示すように、前記揺動枠体３５は、前記前後一対の苗載せ台支柱３１，３１の上端部に一本の連結軸３６を介して枢支された屈曲円形鋼管材で成る揺動枠本体３７を備えており、前記連結軸３６が備える前記揺動軸芯Ｐのまわりに支柱枠体３２に対して上下揺動する。
【００３８】
前記揺動枠体３５は、前記揺動枠本体３７を備える他、この揺動枠本体３７の前後一対の横向き枠部を連結する連結杆に兼用した前記一対の車体前後向きのガイドレール３８，３８と、前記揺動枠本体３７の前後向き枠部３７ａと前記ガイドレール３８とにわたって取り付けた前後一対の連結板３９，３９とを備えて構成してある。前記連結軸３６は、前記前後一対の連結板３９，３９に支持されている。
【００３９】
図９，１０，１１に示すように、前記揺動枠体３５は、前記揺動枠本体３７の前側の横向き枠部に予備苗載せ台横方向に並べて設けた二個の支持ローラ４０，４０と、前記揺動枠本体３７の後側の横向き枠部に予備苗載せ台横方向に並べて設けた二個の支持ローラ４１，４１とを前記予備苗載せ台５０の裏面側に位置するレール部５０ｂに当接させることにより、予備苗載せ台５０の裏面側に予備苗載せ台前後方向での中間部で予備苗載せ台横方向に並べて設けた二個の案内ローラ４２を前記ガイドレール３８の案内面に当接させることにより、予備苗載せ台５０を受け止め支持する。
【００４０】
揺動枠体３５が備える前記各支持ローラ４０，４１は、ローラ支軸４３の苗載せ台横向きの軸芯まわりに転動して予備苗載せ台５０を前記ガイドレール３８に沿わせてスライド移動させる。予備苗載せ台５０が備える前記案内ローラ４２は、ローラ支軸４４の苗載せ台横向きの軸芯まわりに転動して予備苗載せ台５０を前記ガイドレール３８に沿わせてスライド移動させる。
【００４１】
つまり、揺動枠体３５は、揺動枠体３５が備える四個の支持ローラ４０，４１と予備苗載せ台５０が備える二個の案内ローラ４２，４２とを介して予備苗載せ台５０を摺動自在に支持しており、予備苗載せ台５０の全体が、予備苗載せ台５０の荷重を四個の支持ローラ４０，４１と二個の案内ローラ４２とを介して揺動枠体３５に支持させながら、ガイドレール３８と案内ローラ４２とによって案内されて揺動枠体３５に対して車体前後方向に摺動する。
【００４２】
揺動枠体３５がこれの前側で予備苗載せ台５０に支持作用する支持ローラ４０と、後側で予備苗載せ台５０に支持作用する支持ローラ４１とを備え、予備苗載せ台５０が前記前側の支持ローラ４０と前記後側の支持ローラ４１との間で予備苗載せ台５０と共に移動する案内ローラ４２を備えている。これにより、予備苗載せ台５０に長い摺動ストロークを備えさせても、予備苗載せ台５０は、摺動ストロークが長いにもかかわらず、上下にガタ付きにくいよう支持された状態で摺動する。
【００４３】
図１０，１１に示すように、前記揺動枠体３５は、前記揺動枠本体３７の前後向き枠部３７ａに予備苗載せ台前後方向に並べて設けた二個の外れ止め部としての外れ止めローラ４５，４５を予備苗載せ台５０の横側壁部５１の上面５２に当接させることにより、かつ前記案内ローラ４２をガイドレール３８の内面に当接させることにより、予備苗載せ台５０が揺動枠体３５から上方に外れることを防止する。図９，１０に示すように、予備苗載せ台５０は、予備苗載せ台５０の裏面側に設けた外れ止めレール４６が揺動枠体３５の後側の支持ローラ４１に係合していることによっても、揺動枠体３５から上方に外れることも前後に外れることも防止された状態になっている。
【００４４】
図４に示すように、前記予備苗載せ台５０は、予備苗載せ台５０の前側半分を構成する一つの分割予備苗載せ台５３と、予備苗載せ台５０の後側半分を構成する一つの分割予備苗載せ台５４とを備えて構成してある。
【００４５】
図１７は、分割予備苗載せ台連結構造の平面図である。図１８は、分割予備苗載せ台５３，５４の平面図である。図１９は、分割予備苗載せ台５３，５４の裏面図である。図２０は、分割予備苗載せ台５３，５４の側面図である。図２１は、分割予備苗載せ台５３，５４の正面図である。図２２は、分割予備苗載せ台５３，５４の後面図である。図２３は、図１９のＸＸＩＩＩ−ＸＸＩＩＩ断面矢視図である。これらの図に示すように、前記二つの分割予備苗載せ台５３，５４は、樹脂材の成型によって作製してある。前記二つの分割予備苗載せ台５３，５４は、同じ構造を備えている。二つの分割予備苗載せ台５３，５４は、取っ手５７が位置する側とは反対側の端部の裏面側に分割予備苗載せ台横幅方向に並べて設けた板金製の連結体５５，５６を備えている。
【００４６】
予備苗載せ台５０は、二つの分割予備苗載せ台５３，５４がそれぞれの連結体５５，５６を対向させ合う状態で車体前後方向に並び、分割予備苗載せ台５３，５４の両横側で対応する連結体５５，５６が連結ピン５９を介して連結されることによって構成されている。連結ピン５９は、予備苗載せ台５０の前端側に位置する分割予備苗載せ台５３（以下、前分割予備苗載せ台５３と呼称する。）の連結体５５と、予備苗載せ台５０の後端側に位置する分割予備苗載せ台５４（以下、後分割予備苗載せ台５４と呼称する。）の連結体５６とを相対回転自在に連結しており、予備苗載せ台５０は、前分割予備苗載せ台５３が連結ピン５９が備える予備苗載せ台横向きの屈伸軸芯Ｘまわりに揺動操作されることにより、図７に二点鎖線で示す如く前分割予備苗載せ台５３と後分割予備苗載せ台５４とが車体前後方向に並んだ伸展状態と、図７に実線で示す如く前分割予備苗載せ台５３と後分割予備苗載せ台５４とが重なり合った短縮状態とに伸縮する。
【００４７】
図３は、前記予備苗収容装置Ａの使用状態で正面図である。図４は、前記予備苗収容装置Ａの使用状態（苗積み込み状態）での側面図である。図５は、前記予備苗収容装置Ａの使用状態（作業走行状態）での側面図である。図６は、前記予備苗収容装置Ａの使用状態（苗植付け装置に対する苗補給状態）での側面図である。図１１は、前記揺動枠体３５の下降使用状態での正面図である。これらの図に示すように、支持体３０の揺動枠体３５を前記揺動軸芯Ｐまわりに下降揺動操作し、揺動枠本体３７の前後向き枠部３７ａが前後一対の苗載せ台支柱３１，３１の上端部に当接すると、揺動枠体３５が支柱枠体３２から車体横外側向きに延出した下降使用姿勢になる。揺動枠体３５が揺動枠本体３７と苗載せ台支柱３１との当接によって下降使用姿勢に保持された状態になると、予備苗載せ台５０の前分割予備苗載せ台５３を前記屈伸軸芯Ｘまわりに車体前方側に揺動操作し、前分割予備苗載せ台５３と後分割予備苗載せ台５４とが車体前後方向に並んだ状態になると、予備苗収容装置Ａが使用状態になる。
【００４８】
すなわち、予備苗載せ台５０は、前分割予備苗載せ台５３と後分割予備苗載せ台５４とが前記揺動軸芯Ｐまわりに倒伏し、前分割予備苗載せ台５３と後分割予備苗載せ台５４との苗載置面５３ａ，５４ａが車体横方向に沿った車体横向き姿勢で、車体前後方向に並んで連なった伸展使用状態になる。伸展使用状態の予備苗載せ台５０は、前分割予備苗載せ台５３の苗載置面５３ａと後分割予備苗載せ台５４の苗載置面５４ａとによって苗載置面を形成する。
【００４９】
つまり、予備苗載せ台５０は、二枚の予備マット状苗を各予備マット状苗の縦方向（長手方向）が車体前後向きになる載置姿勢で車体前後方向に並べて載置して収容する。
【００５０】
図４に示すように、伸展使用状態での予備苗載せ台５０の前端部に下向きに突出した状態で備えさせるよう前分割予備苗載せ台５３の前端部に一体成形した樹脂製の前記取っ手５７、あるいは伸展使用状態での予備苗載せ台５０の後端部に下向きに突出した状態で備えさせるよう後分割予備苗載せ台５４の後端部に一体形成した樹脂製の前記取っ手５７を使用して予備苗載せ台５０を車体前方側にスライド操作する。揺動枠体３５の後端側に設けたステー６０に揺動アーム６１を介して揺動自在に支持された位置決めローラ６２（図１０，１５参照）が、前記揺動アーム６１に連結された位置決めバネ６３による位置決めローラ６２の揺動付勢により、後分割予備苗載せ台５４に予備苗載せ台前後方向に並べて設けある三つの位置決め凹部６４，６５，６６のうちの前位置決め凹部６４に係入すると、予備苗収容装置Ａが苗補給状態になる。
【００５１】
すなわち、予備苗載せ台５０は、予備苗載せ台５０の前端側が自走車の前記前端箇所Ｆから車体前方に大突出長さＬ１で突出した前スライド位置になり、自走車を前記前端箇所Ｆが畦に対向する状態で畦際に駐車されることにより、予備苗載せ台５０の前端側を畦に近づけて畦から予備苗載せ台５０への苗補給を容易に行わせる。予備苗載せ台５０は、この前スライド位置において、予備苗載せ台５０の後端が運転座席３の前端３ａよりも車体前方側に位置した状態になり、予備苗載せ台５０の後側に運転部５に対する乗降用通路を確保して運転部５に対する乗り降りを行いやすくする。
【００５２】
この場合、前分割予備苗載せ台５３が、揺動枠体３５の前端側に位置する前記支持ローラ４０による押し上げ操作によって屈伸軸芯Ｘまわりに若干上昇揺動する。これにより、予備苗載せ台５０は、前端側部分（前分割予備苗載せ台５３によって構成される部分）が後端側部分（後分割予備苗載せ台５４によって構成される部分）に対して前上がり傾斜した状態になる。
【００５３】
図５に示すように、予備苗載せ台５０を車体前後方向にスライド操作し、前記位置決めローラ６２が前記三つの位置決め凹部６４，６５，６６のうちの中位置決め凹部６５に係入すると、予備苗収容装置Ａが作業走行状態になる。
【００５４】
すなわち、予備苗載せ台５０は、予備苗載せ台５０の前端側が自走車の前記前端箇所Ｆから車体前方に小突出長さＬ２で突出し、予備苗載せ台５０の後端が運転座席３の横側方に位置した中スライド位置になる。これにより、予備苗収容装置Ａは、予備苗載せ台５０の車体前方への突出長さを予備苗載せ台５０が前スライド位置にされた場合のそれよりも短くしながら、予備苗載せ台５０および予備マット状苗の重量が極力車体前方側に掛かる状態で走行させる。
【００５５】
図６に示すように、予備苗載せ台５０を車体後方側にスライド操作し、前記位置決めローラ６２が前記三つの位置決め凹部６４，６５，６６のうちの後位置決め凹部６６に係入すると、予備苗収容装置Ａは、作業走行と、苗植え付け装置１０に対する苗補給との状態になる。
【００５６】
すなわち、予備苗載せ台５０は、予備苗載せ台５０の前端５０ａ（前分割予備苗載せ台５３の前端）が車体側面視で自走車の前記前端箇所Ｆと合致する箇所に位置し、予備苗載せ台５０の後端が上昇非作業状態に上昇操作された苗植え付け装置１０の苗載せ台１４に寄った後スライド位置になる。これにより、予備苗収容装置Ａは、予備苗載せ台５０を前方視界や走行の障害になりにくいように車体前方に突出させず、かつ予備苗載せ台５０と苗載せ台１４との間隔を小にして予備苗載せ台５０から苗載せ台１４へのマット状苗の持ち運びを容易にする。
【００５７】
予備苗載せ台５０を前スライド位置と中スライド位置と後スライド位置とに位置させた場合、揺動枠体３５の後端側に設けたロックレバー８０（図１０参照）により、予備苗載せ台５０を走行時や制動時に振動や慣性によって前スライド位置、中スライド位置、後スライド位置からずれ動かないように各位置に固定する。
【００５８】
すなわち、図１０，１４に示すように、前記ロックレバー８０は、揺動枠本体３７の後端側に設けたステー８１に支軸８２を介して支持されており、前記支軸８２の軸芯まわりに下降ロック位置ＯＮと上昇解除位置ＯＦＦとに揺動操作できる。
【００５９】
図１４（ｂ）は、ロックレバー８０のロック状態での後面図である。この図に示すように、ロックレバー８０は、下降ロック位置ＯＮに操作されると、予備苗載せ台５０を前スライド位置あるいは中スライド位置あるいは後スライド位置にロックする。すなわち、ロックレバー８０の先端部８０ａが後分割予備苗載せ台５４に設けてあるロック凹部８３に入り込んで後分割予備苗載せ台５４に係合する。ロックレバー８０に連結されているスプリング８４が、ロックレバー８０の下降揺動によってロックレバー８０を下降ロック位置ＯＮに付勢する状態に切り換わって前記先端部８０ａをロック凹部８３に入り込んだ状態に保持する。
【００６０】
図１４（ａ）は、ロックレバー８０のロック解除状態での後面図である。この図に示すように、ロックレバー８０は、上昇解除位置ＯＦＦに操作されると、前記先端部８０ａがロック凹部８３から抜け外れて予備苗載せ台５０のロックを解除する。このとき、スプリング８４がロックレバー８０の上昇揺動によってロックレバー８０を上昇解除位置ＯＦＦに付勢する状態に切り換わって先端部８０ａをロック凹部８３から外れた位置に保持する。
【００６１】
図７は、前記予備苗載せ台５０の短縮状態での側面図である。図８は、前記予備苗収容装置Ａの格納状態での正面図である。これらの図に示すように、予備苗載せ台５０の前分割予備苗載せ台５３を前記屈伸軸芯Ｘまわりに車体後方側に揺動操作する。このとき、前分割予備苗載せ台５３が前記外れ止めローラ４５から車体前方側に外れて屈伸軸芯Ｘまわりに揺動するよう予備苗載せ台５０を車体前方側にスライド操作しておく。前分割予備苗載せ台５３と後分割予備苗載せ台５４とが重なり合った状態になると、支持体３０の揺動枠体３５を前記揺動軸芯Ｐまわりに上昇揺動操作する。前記後側の苗載せ台支柱３１に揺動自在に支持されているロックアーム７０（図１３参照）が、ロックスプリング７１によるロックアーム７０の上昇付勢により、前記連結板３９に設けてある位置決め凹部７２に係入すると、揺動枠体３５が支柱枠体３２から車体上方向きに延出した上昇格納姿勢になる。揺動枠体３５が前記ロックアーム７０による突っ張り支持によって上昇格納姿勢に保持された状態になると、予備苗収容装置Ａが格納状態になる。
【００６２】
すなわち、予備苗載せ台５０は、前分割予備苗載せ台５３と後分割予備苗載せ台５４とが、両分割予備苗載せ台５３，５４の苗載置面５３ａ，５４ａどうしを対向させた状態で揺動軸芯Ｐまわりに起立して、予備苗載せ台５０の車体前後方向での長さが伸展使用状態でのそれよりも短縮し、かつ両分割予備苗載せ台５３，５４の苗載置面５３ａ，５４ａに直交する方向に重なり合って並んだ短縮格納状態になる。予備苗載せ台５０は、さらに、前分割予備苗載せ台５３と後分割予備苗載せ台５４とが、両分割予備苗載せ台５３，５４の苗載置面５３ａ，５４ａを車体上方側ほど車体横外側に位置する傾斜面にした車体上下向き姿勢になって使用状態での車体横向き姿勢の場合よりも車体内側に位置し、かつ前分割予備苗載せ台５３と後分割予備苗載せ台５４とが自走車の前記前端箇所Ｆよりも車体後方側で、かつ運転座席３の前端３ａよりも車体前方側に位置した格納状態になる。これにより、予備苗収容装置Ａは、予備苗載せ台５０の車体横外側への突出が使用状態でのそれよりも小になり、予備苗載せ台５０の車体前方への突出が無くなり、運転部５に対する乗り降りが予備苗載せ台５０による障害を受けないで行えるようにして予備苗載せ台５０を格納する。
【００６３】
予備苗載せ台５０を短縮格納状態に切り換えた場合、揺動枠体３５の後端側に設けた閉じ固定体８６（図１５参照）により、前分割予備苗載せ台５３を走行時や制動時に振動や慣性によって開かないように重ね状態に固定する。
【００６４】
すなわち、閉じ固定体８６は、前記ステー８１に前記支軸８２を介して支持されており、図１４（ｂ）に示す如く支軸８２の軸芯まわりに上昇揺動操作されて閉じ固定体８６の遊端側に位置するフック部８６ａを前分割予備苗載せ台５３の横端部５３ｂに係止操作されることにより、前分割予備苗載せ台５３を後分割予備苗載せ台５４に引き寄せ固定するよう作用状態になる。
【００６５】
図１４（ａ）に示すように、閉じ固定体８６は、前記フック部８６ａを前記横端部５３ｂから外し操作されることにより、解除状態になる。
【００６６】
図１に示すように、前記自走車は、後輪フェンダー７５の後端部の上面側に設けた作業ステップ７６を備えている。この作業ステップ７６は、苗植え付け装置１０の苗載せ台１４に対する苗補給を行う際、足置き場に使用されることによって苗補給作業を行いやすくする。
【００６７】
図５，６に示すように、前記支持体３０は、予備苗載せ台５０の伸展使用状態において、予備苗載せ台５０が前記ステアリングハンドル４の上端４ａよりも低い配置高さに位置する状態で、かつ予備苗載せ台５０が前記作業ステップ７６よりも高い配置高さに位置する状態で予備苗載せ台５０を支持する構成を備えており、予備苗載せ台５０から苗載せ台１４へのマット状苗の持ち運びを楽な体勢で行わせる。
【００６８】
図１３（ａ）に示すように、前記支持体３０は、予備苗載せ台５０の伸展使用状態において、前記支柱枠体３２の上端３２ａとしての苗載せ台支柱３１の上端と、前記揺動枠体３５の上端３５ａとしての前記連結板３９の上端とが、予備苗載せ台５０の最上端部としての側壁部上端５１ａの配置高さよりも低い配置高さに位置して支持体３０が予備苗載せ台５０から上方に突出しない構成を備えており、予備苗載せ台５０のマット状苗の取扱いを支持体３０による障害を受けない状態で行わせる。
【００６９】
図１３に示すように、前記支持体３０の前記揺動軸芯Ｐは、各分割予備苗載せ台５３，５４の車体横向き姿勢において、分割予備苗載せ台５３，５４の下方に、分割予備苗載せ台５３，５４の車体内側端５８から車体横外側に離れて位置するよう配置されている。
【００７０】
これにより、予備苗載せ台５０の上昇格納の際、予備苗載せ台５０の車体内側への入り込み量が大になり、格納状態での予備苗載せ台５０の車体横外側への突出が少なくなる。また、各分割予備苗載せ台５３，５４において、分割予備苗載せ台５３，５４の車体内側部分が揺動軸芯Ｐよりも車体内側に向かって下降し、分割予備苗載せ台５３，５４の車体外側部分が車体内側部分による引き上げ操作を受けて上昇揺動する。これにより、予備苗載せ台５０の車体内側部分は、予備苗載せ台５０の上昇格納操作を軽くする。
【００７１】
図２，３に示すように、左側の予備苗収容装置Ａと右側の予備苗収容装置Ａとの一方の予備苗載せ台５０は、後分割予備苗載せ台５４の横端部に設けた苗すくい板ホルダー７７を備えている。
【００７２】
図１６に示すように、前記苗すくい板ホルダー７７は、予備苗載せ台５０の使用状態において予備苗載せ台５０の車体横外側に位置する端部に位置するよう配置されており、運転部５において予備苗載せ台５０から苗載せ台１４への苗補給を行われる際、苗取扱いの障害にならない状態で行わせる。
【００７３】
前記苗すくい板ホルダー７７は、苗すくい板ホルダー７７の基端側に設けた連結軸部７７ａを備え、後分割予備苗載せ台５４に固定された支持体７８に前記連結軸部７７ａによって連結されている。
【００７４】
苗すくい板ホルダー７７は、前記連結軸部７７ａの軸芯まわりに下降揺動操作され、後分割予備苗載せ台５４の苗載置面５４ａに倒れ込んだ倒伏姿勢になると、スプリング７９によって倒伏付勢されて苗すくい板を後分割予備苗載せ台５４に押し付けるよう使用状態になる。
【００７５】
苗すくい板ホルダー７７は、前記連結軸部７７ａの軸芯まわりに上昇揺動操作され、苗すくい板ホルダー７７の端部７７ｂが前記支持体７８に当接すると、起立姿勢になるとともに前記スプリング７９によって起立姿勢に保持されて苗載置面５４ａの上方を開放するよう非使用状態になる。
【００７６】
図２４（ａ）は、別の実施構造を備えた予備苗収容装置Ａの予備苗載せ台短縮状態での断面図である。図２４（ａ）は、別の実施構造を備えた予備苗収容装置Ａの予備苗載せ台上昇格納状態での断面図である。こられの図に示すように、この予備苗収容装置Ａにおける予備苗載せ台５０は、前分割予備苗載せ台５３の裏面側の横端部に設けたロック凹部９０を備えている。
【００７７】
予備苗載せ台５０の上昇格納状態において、前記苗載せ台支柱３１の上端部が前記ロック凹部９０に入り込み、走行振動などに起因した予備苗載せ台５０の揺動枠体３５に対する摺動が防止され、かつ前分割予備苗載せ台５３と後分割予備苗載せ台５４との開き揺動が防止される。
【００７８】
すなわち、苗載せ台支柱３１の上端部がロック凹部９０に入り込むことにより、前分割予備苗載せ台５３のスライドと屈伸軸芯Ｘまわりでの揺動とを防止するよう前分割予備苗載せ台５３に対してストップ作用して予備苗載せ台５０の摺動ロックと揺動ロックと行う。
〔別実施例〕
上記した実施例に替え、予備苗載せ台５０の格納状態を、各分割予備苗載せ台５３，５４の前端が車体側面視で自走車の前端箇所Ｆと合致する箇所に位置するよう設定して実施してもよい。要するに、各分割予備苗載せ台５３，５４の前端が自走車の前端箇所以後に位置するよう設定することにより、本発明の目的を達成することができる。
【００７９】
上記した実施例に替え、予備苗載せ台５０を伸展使用状態と短縮格納状態とに切り換えるのに、後分割予備苗載せ台５４を屈伸軸芯まわりに前分割予備苗載せ台５３に対して揺動操作する構成、あるいは、前分割予備苗載せ台５３と後分割予備苗載せ台５４との一方を他方に対して脱着する構成を採用して実施してもよく、こられの場合も本発明の目的を達成することができる。
【図面の簡単な説明】
【００８０】
【図１】乗用型田植機の全体側面図
【図２】乗用型田植機の全体平面図
【図３】予備苗収容装置の使用状態で正面図
【図４】予備苗収容装置の使用状態（苗補給状態）での側面図
【図５】予備苗収容装置の使用状態（作業走行状態）での側面図
【図６】予備苗収容装置の使用状態（苗植付け装置に対する苗補給状態）での側面図
【図７】予備苗収容装置の格納状態での側面図
【図８】予備苗収容装置の格納状態での正面図
【図９】支持体の側面図
【図１０】揺動枠体の平面図
【図１１】揺動枠体の下降使用状態での正面図
【図１２】揺動枠体の横断後面図
【図１３】（ａ）は、揺動枠体支持構造の揺動枠体下降状態での後面図、（ｂ）は、揺動枠体支持構造の揺動枠体上昇状態での後面図
【図１４】（ａ）は、ロックレバーのロック解除状態での後面図、（ｂ）は、ロックレバーのロック状態での後面図
【図１５】支持体の位置決めローラとロックアームの配設部での側面図
【図１６】（ａ）は、苗すくい板ホルダーの側面図、（ｂ）は、苗すくい板ホルダーの正面図
【図１７】分割予備苗載せ台連結構造の平面図
【図１８】分割予備苗載せ台の平面図
【図１９】分割予備苗載せ台の裏面図
【図２０】分割予備苗載せ台の側面図
【図２１】分割予備苗載せ台の正面図
【図２２】分割予備苗載せ台の後面図
【図２３】図１９のＸＸＩＩＩ−ＸＸＩＩＩ断面矢視図
【図２４】（ａ）は、別の実施構造を備えた予備苗収容装置の予備苗載せ台短縮状態での断面図、（ｂ）は、別の実施構造を備えた予備苗収容装置の予備苗載せ台上昇格納状態での断面図
【符号の説明】
【００８１】
３                運転座席
３ａ              運転座席の前端
５                運転部
１０              苗植付け装置
３０              支持体
４５              外れ止め部
５０              予備苗載せ台
５１              横側壁部
５２              上面
５３，５４        分割苗載せ台
５３ａ，５４ａ    苗載置面
７７              苗すくい板ホルダー
Ｐ                揺動軸芯
【図１】
0005330699.tif 000002
【図２】
0005330699.tif 000003
【図３】
0005330699.tif 000004
【図４】
0005330699.tif 000005
【図５】
0005330699.tif 000006
【図６】
0005330699.tif 000007
【図７】
0005330699.tif 000008
【図８】
0005330699.tif 000009
【図９】
0005330699.tif 000010
【図１０】
0005330699.tif 000011
【図１１】
0005330699.tif 000012
【図１２】
0005330699.tif 000013
【図１３】
0005330699.tif 000014
【図１４】
0005330699.tif 000015
【図１５】
0005330699.tif 000016
【図１６】
0005330699.tif 000017
【図１７】
0005330699.tif 000018
【図１８】
0005330699.tif 000019
【図１９】
0005330699.tif 000020
【図２０】
0005330699.tif 000021
【図２１】
0005330699.tif 000022
【図２２】
0005330699.tif 000023
【図２３】
0005330699.tif 000024
【図２４】
0005330699.tif 000025